(57)【要約】【課題】  コンテンツ毎に発行される鍵データによってのみダウンロード可能なコンテンツデータについて、ユーザに条件付き保有権を認めたうえでのダウンロードの実現等【解決手段】  コンテンツに対応した鍵データを指定された条件に従い認証し、前記鍵データに対応したコンテンツデータを特定したうえで、複数のコンテンツデータを記憶したコンテンツデータベースから、前記認証手段によって特定されたコンテンツデータをユーザ通信端末へ配信する事により、該当するコンテンツデータを条件付き保有権と共にユーザに取得させる事が可能となる。【選択図】図１
2006085738.tif 000002
【特許請求の範囲】
【請求項１】
コンテンツに対応した鍵データと、前記鍵データを指定された条件に従い認証し、前記鍵データに対応したコンテンツデータを特定する認証手段と、複数のコンテンツデータを記憶し、前記認証手段によって特定されたコンテンツデータを前記通信端末へ配信する配信装置と、前記鍵データを取り込む鍵データ取込手段と、
前記鍵データ取込手段によって取り込まれた鍵データを前記認証手段へネットワークを介して送信する送信手段と、前記配信装置によって配信された前記コンテンツデータをネットワークを介して受信する受信手段と、前記受信手段によって受信したコンテンツデータを記憶するコンテンツ記憶手段と、前記コンテンツ記憶手段によって記憶されたコンテンツデータを再生要求に応じて再生するコンテンツ再生装置と、から構成され、ユーザが該当するコンテンツデータを取得できるようにした事を特徴とする、鍵データの認証を前提としたデータダウンロードシステム。
【請求項２】
前記鍵データは、前記コンテンツに対応し、頒布する複製パッケージ毎に発行される事を特徴とするデータダウンロードシステム。
【請求項３】
前記認証手段は、前記送信手段によってネットワークを介して送信された前記鍵データに対応したコンテンツに含まれるコンテンツデータを特定し、指定された条件に従って認証する機能を備える事を特徴とするデータダウンロードシステム。
【請求項４】
前記コンテンツ再生装置は、前記認証手段によって認証され、特定されたコンテンツデータを、前記受信手段によって配信装置より受信し、前記コンテンツ記憶手段へ当該コンテンツデータを記憶し、このコンテンツデータを再生要求に応じて再生する機能を備える事を特徴とするデータダウンロードシステム。
【発明の詳細な説明】
【技術分野】
【０００１】本発明は、コンテンツに対応し、頒布する複製パッケージ毎に発行される鍵データの認証を前提とするコンテンツ配信システムに関する。【０００２】従来技術において、コンビニエンスストア等にあるミュージックダウンロード機器を利用し、所望の音楽、画像、映像、ゲーム等のデジタルデータを選択し、課金を専門とするサーバに課金情報を入力、サーバプログラムの認証、利用許諾を受けた後、このデータファイルをダウンロードにより取得して所定の記録媒体に記録し記憶させることでデータファイルを受信し、楽しむ事ができるデータ配信システムがある。前記に類似して、必要な情報を登録するとデータのサンプルをダウンロードすることを可能とする音楽、画像、映像、ゲーム等のデジタルデータ配信システムも存在する。【０００３】このような従来のデータ配信システムにおいては、ユーザの情報登録、認証を行う事で「サービスの利用許諾」を受けたユーザが対価交換により入手している状態に見えるデジタルデータはあくまで一過性の物であり、その端末に限定されたデータの記録、保存を行う権利を付与されるのみである。ユーザはあくまでもデジタルデータの一時的な閲覧権を保証されるのみである。【０００４】また、パッケージ商品の伸び悩みから、近年多くの企業組織が携帯電話やパーソナルコンピュータなどの端末を通したユーザのデータ購入を促進しているが、パッケージの販売促進の一手段として利用する事を目的とせざるを得ないという現状が見られるこのモデルにおいては、手に取り納得して購入する事ができる音楽・映像・画像などのパッケージソフトウェアよりもより気軽に楽しむ事ができる代わりに取得したデータを物質的な存在として残す事ができないという課題がある。【０００５】従来のデジタルデータ配信システムにおいて、ユーザは所有する端末が再生できるフォーマットが存在する限りにおいてのみ再生可能なデータを、ユーザの所望する端末に記録・保存する事により、フォーマットの進化と共に簡単に消失してしまう様な権利を保有しているに過ぎない。このように端末の種類、再生方式、データフォーマットの各々についての極度の依存性が見られる事が最大の問題点であると言える。【０００６】更には、現状として、ユーザが音楽、映像、画像などのデータを携帯し再生する為には、特定の記録先媒体の他、この記録媒体にデータを記録し保存する為の、主にパーソナルコンピュータなどデータを転送するための別装置も必要とされる。即ち予め決められた記録先媒体に１種類以上の媒体を介在させる事によってしかデータを記録、保存して携帯することができないという大きな課題が残っている他、その行為が権利上の大きな問題となっている。
【発明の開示】
【発明が解決しようとする課題】
【０００７】本発明は、ユーザが入手した特定のパッケージを構成するデジタルデータに関し、頒布する複製パッケージ毎に発行される鍵データによってのみダウンロード可能なコンテンツデータを、入手したパッケージを構成する一部としてここにユーザの条件付き保有権を認めたうえ、取得する事ができることを課題とする。
【課題を解決するための手段】
【０００８】前記課題を解決するために、請求項１に記載のデータダウンロードシステムは、コンテンツに対応した鍵データと、前記鍵データを指定された条件に従い認証し、前記鍵データに対応したコンテンツデータを特定する認証手段と、複数のコンテンツデータを記憶し、前記認証手段によって特定されたコンテンツデータを前記通信端末へ配信する配信装置と、前記鍵データを取り込む鍵データ取込手段と、前記鍵データ取込手段によって取り込まれた鍵データを前記認証手段へネットワークを介して送信する送信手段と、前記配信装置によって配信された前記コンテンツデータをネットワークを介して受信する受信手段と、前記受信手段によって受信したコンテンツデータを記憶するコンテンツ記憶手段と、前記コンテンツ記憶手段によって記憶されたコンテンツデータを再生要求に応じて再生するコンテンツ再生装置と、から構成され、ユーザが該当するコンテンツデータを取得できるようにした事を特徴とする。【０００９】また、請求項２に記載の前記鍵データは、前記コンテンツに対応し、頒布する複製パッケージ毎に発行される事を特徴とする。【００１０】また、請求項３に記載の前記認証手段は、前記送信手段によってネットワークを介して送信された前記鍵データに対応したコンテンツに含まれるコンテンツデータを特定し、指定された条件に従って認証する機能を特徴とする。【００１１】また、請求項４に記載の前記コンテンツ再生装置は、前記認証手段によって認証され、特定されたコンテンツデータを前記受信手段によって配信装置より受信し、前記コンテンツ記憶手段へコンテンツデータを記憶し、再生要求に応じて再生する機能を特徴とする。
【発明の効果】
【００１２】本発明によれば、ユーザが入手した特定のパッケージを構成するデジタルデータに関し、頒布する複製パッケージ毎に発行される鍵データによってのみダウンロード可能なコンテンツデータを、入手したパッケージを構成する一部としてここにユーザの条件付き保有権を認めたうえで取得させる事が可能となる。これにより再生機器間での直接的なコンテンツデータの複製を制限した場合においても、鍵データをもって、ユーザは新たに所望する再生端末へコンテンツデータを再ダウンロードすることが可能となり、個人を特定する情報を用いる事なく条件付き保有権は保証される。
【発明を実施するための最良の形態】
【００１３】本発明の実施形態を、図１〜図６を用いて説明する。【００１４】本実施形態におけるコンテンツ配信システム１は、図１に示すように、コンテンツ配信サーバ２、コンテンツを再生する機能を有した携帯通信端末装置３、およびシリアルキー４によって構成され、コンテンツ配信サーバ２と携帯通信端末装置３はインターネットなどのネットワーク５を介して相互に接続される。また、携帯通信端末装置３はコードスキャナ３３を備えており、ＱＲコードパターンを取り込むことが可能である（詳細については後述）。【００１５】コンテンツ配信サーバ２は、図２に示すように、ユーザ管理部２１、シリアル情報管理部２２、コンテンツ管理部２３、および通信部２４を有する。またコンテンツ配信サーバ２は、シリアル情報管理データベース６とコンテンツデータベース７を備えており、コンテンツ配信サーバ２の記憶装置に格納されている。シリアル情報管理データベース６には、シリアル情報管理データ６１と、パッケージ毎にコンテンツリストデータ６２が記憶され、コンテンツデータベース７には、複数のコンテンツデータが記憶される。【００１６】ユーザ管理部２１はコンテンツのダウンロードをしようとするユーザのフロントエンド機能を有するほか、ダウンロード要求されたコンテンツのコンテンツデータの配信を管理制御する機能を有する（詳細については後述）。【００１７】シリアル情報管理部２２は、ダウンロードしようとするコンテンツのシリアル情報の解析、および認証を行い、認証されたシリアル情報によって指定される条件に従ってシリアル情報管理データ６１とコンテンツリストデータ６２から条件に該当するコンテンツリストを抽出し、ユーザ管理部２１を介してコンテンツ管理部２３に支給する機能を有する（詳細については後述）。【００１８】コンテンツ管理部２３はシリアル情報管理部２２によってダウンロード要求されたコンテンツデータをコンテンツデータベース７から取得して通信部２４に支給する機能を有する。【００１９】通信部２４は、有線または無線でインターネット等のネットワーク５に接続され、諸データの送受信を行う機能を有する。【００２０】シリアル情報管理データ６１は、図３に示すように、パッケージＩＤ、ダウンロード回数、ダウンロード制限回数、コンテンツリストの項目を有するデータテーブルであり、パッケージＩＤ毎に、ダウンロード回数、ダウンロード制限回数、およびパッケージＩＤによりダウンロードされる全コンテンツの一覧情報を記録するコンテンツリストデータ６２のファイル名がそれぞれの項目に記録される。【００２１】パッケージＩＤは、一つ以上のコンテンツデータを一つにまとめたパッケージに固有に割り当てられるＩＤであり、例えば、音楽アルバムならＪＡＮコードやＵＰＣコードである。またダウンロード回数の初期設定は“０”であり、ダウンロード制限回数は、コンテンツを提供する出版社又は発信者によってパッケージ毎に任意に設定できる。【００２２】コンテンツリストデータ６２は、シリアル情報管理データ６１のコンテンツリスト項目に記述されているファイル名に対応したデータテーブルであり、図４に示すようにコンテンツ名、分類、日付、出版社名又は発信者名の項目を有するパッケージＩＤ毎に用意される。このコンテンツリストデータ６２にはパッケージＩＤに含まれるパッケージを構成する全てのコンテンツ名とその分類（音楽、ビデオ、ゲーム等）、そのコンテンツがアップロード又はアップデートされた日付、およびそのコンテンツを提供する出版社または発信者名がそれぞれの項目に記録される。【００２３】携帯通信端末装置３は、図５に示すように、携帯端末制御部３１、無線通信部３２、コードスキャナ３３、操作スイッチ３４、コンテンツデータ記憶部３５、コンテンツ再生部３６、ディスプレイ３７、およびスピーカ３８を有する。【００２４】携帯端末制御部３１は、無線通信部３２、コードスキャナ３３、または操作スイッチ３４から入力されるコマンドを認識し、コンテンツ配信サーバ２に対しコンテンツデータのダウンロードの指示を行う機能と、ダウンロードしたコンテンツデータをコンテンツデータ記憶部３５へ記憶する指示を行う機能と、コンテンツ再生部３６に対しコンテンツデータの再生、停止等の指示を行う機能を有する（詳細については後述）。【００２５】無線通信部３２は、無線でインターネット等のネットワーク５に接続され、諸データの送受信を行う機能を有する。【００２６】コードスキャナ３３は、ＱＲコードパターンを読み取り、解析（以下デコードという）する機能と、デコードしたコードを携帯端末制御部３１の指示に従って、携帯端末制御部３１に支給する機能を有する。【００２７】操作スイッチ３４はユーザ入力操作を受け付ける機能を有する。【００２８】コンテンツデータ記憶部３５はコンテンツ配信サーバ２からダウンロードされたコンテンツデータを記憶する機能を有する。【００２９】コンテンツ再生部３６は、コンテンツデータ記憶部３５に記憶されたコンテンツデータの音声信号及び映像信号を出力する機能を有する。【００３０】シリアルキー４は、パッケージＩＤに連続したシリアル番号を付加した固有な情報である鍵データ（以下シリアル情報という）を暗号化し、パラメータとしてコンテンツ配信サーバ２のＵＲＬアドレスに続いて付加した一連の文字列と、携帯通信端末装置３がネットワーク５を介してコンテンツ配信サーバ２へアクセスするために必要な命令文をＱＲコードパターンにエンコードし、そのＱＲコードパターンイメージを何らかの方法で表示した物体である。【００３１】コンテンツデータは映画、テレビ番組等のビデオ、音楽、ゲーム等が所定のデータ形式で記録されたデータであり、例えば、コンテンツが映画等のビデオデータであればデータ形式はＭＰＥＧ４（Ｍｏｖｉｎｇ  Ｐｉｃｔｕｒｅ  Ｅｘｐｅｒｔｓ  Ｇｒｏｕｐｐｈａｓｅ４）であり、コンテンツが音楽であればデータ形式はＡＡＣ（Ａｄｖａｎｃｅｄ  Ａｕｄｉｏ  Ｃｏｄｉｎｇ）である。【００３２】また、本実施形態においては、コンテンツ配信サーバ２から携帯通信端末装置３へのコンテンツデータのダウンロードはＦＴＰ（Ｆｉｌｅ  Ｔｒａｎｓｆｅｒ  Ｐｒｏｔｏｃｏｌ）の通信規約に従って行われることとし、その他の場合においては、ＨＴＴＰ（Ｈｙｐｅｒ  Ｔｅｘｔ  Ｔｒａｎｓｆｅｒ  Ｐｒｏｔｏｃｏｌ）、ＷＡＰ（Ｗｉｒｅｌｅｓｓ  Ａｐｐｌｉｃａｔｉｏｎ  Ｐｒｏｔｏｃｏｌ）、ＰＯＰ３（Ｐｏｓｔ  Ｏｆｆｉｃｅ  Ｐｒｏｔｏｃｏｌ）、ＩＭＡＰ（Ｉｎｔｅｒｎｅｔ  Ｍｅｓｓａｇｅ  Ａｃｃｅｓｓ  Ｐｒｏｔｏｃｏｌ）、ＳＭＴＰ（Ｓｉｍｐｌｅ  Ｍａｉｌ  Ｔｒａｎｓｆｅｒ  Ｐｒｏｔｏｃｏｌ）等の通信規約に従ってデータ通信が行われることとする。【００３３】次に、本実施に係るコンテンツ配信システム１の詳細な動作について、図を用いて説明する。図６は、コンテンツ配信システム１におけるコンテンツ配信処理を示すシーケンス図である。【００３４】ユーザが携帯通信端末装置３に対してシリアルキー４に示されたＱＲコードパターンの読み取りの開始を入力すると（ステップＳ０１）、携帯通信端末装置３の携帯端末制御部３１は、操作スイッチ３４から入力されたユーザの操作を基に、ＱＲコードパターン読み取り開始が要求されたことを認識し、コードスキャナ３３にＱＲコードパターンの読み取りを要請する。【００３５】コードスキャナ３３は、シリアルキー４に示されたＱＲコードパターンを読み取り、ＱＲコードパターンに含まれるコンテンツ配信サーバ２のＵＲＬアドレスに続いて、パッケージＩＤを含む暗号化されたシリアル情報をパラメータとして付加した一連の文字列と、携帯通信端末装置３がネットワーク５を介してコンテンツ配信サーバ２へアクセスするために必要な命令文を読み取り、携帯端末制御部３１に支給する（ステップＳ０２）。【００３６】携帯端末制御部３１は、取得したＱＲコードパターンに含まれるコンテンツ配信サーバ２のＵＲＬアドレスに続いて、パッケージＩＤを含む暗号化されたシリアル情報をパラメータとして付加した一連の文字列と、携帯通信端末装置３がネットワーク５を介してコンテンツ配信サーバ２へアクセスするために必要な命令文に従い、無線通信部３２とネットワーク５を介してコンテンツ配信サーバ２へアクセスし、双方向通信を確立する（ステップＳ０３）。【００３７】コンテンツ配信サーバ２のユーザ管理部２１は、通信部２４を介して固有なＵＲＬにパラメータとして含まれる暗号化されたシリアル情報を受信すると（ステップＳ０４）、そのシリアル情報をシリアル情報管理部２２に支給する。【００３８】シリアル情報管理部２２は、取得したシリアル情報の読み取り時や通信時に起こりうるエラー等を含めた有効性を確認し（ステップＳ０５）、有効でない場合は現在認証中のシリアル情報を認証せず、処理を終了する。この場合、ユーザ管理部２１にシリアル情報を認証できなかった旨のエラー情報を出力し、ユーザ管理部２１はエラーを取得すると、通信部２４を介してシリアルキー４が無効であるメッセージ画面（例えば、ＨＴＭＬファイル）を携帯通信端末装置３に送信する。携帯通信端末装置３の携帯端末制御部３１は無線通信部３２を介してシリアルキー４が無効であるメッセージ画面を受信すると、ディスプレイ３７にそのメッセージ画面を表示する。
一方、パッケージＩＤが有効である場合はシリアル情報を複合化し、シリアル情報に含まれるパッケージＩＤを取得する（ステップＳ０６）。【００３９】シリアル情報管理部２２は、シリアル情報管理データベース６に記録されているシリアル情報管理データ６１を参照し、取得したパッケージＩＤを検索する（ステップＳ０７）。【００４０】ステップＳ０７でシリアル情報管理データ６１を検索した結果、取得したパッケージＩＤと一致するデータが存在しない場合、このパッケージＩＤを認証せず、処理を終了する。この場合、ユーザ管理部２１にパッケージＩＤを認証できなかった旨のエラー情報を出力し、ユーザ管理部２１はエラーを取得すると、通信部２４を介してシリアルキー４が無効であるメッセージ画面を携帯通信端末装置３に送信する。携帯通信端末装置３の携帯端末制御部３１は無線通信部３２を介してシリアルキー４が無効であるメッセージ画面を受信すると、ディスプレイ３７にそのメッセージ画面を表示する。【００４１】ステップＳ０７でシリアル情報管理データ６１を検索した結果、取得したパッケージＩＤと一致するデータが存在する場合、シリアル情報管理部２２は、そのデータのダウンロード回数項目、およびダウンロード制限回数項目を参照し（ステップＳ０８）、ダウンロード回数項目の現在値がダウンロード制限回数項目の値に達しているか否かを判定する（ステップＳ０９）。【００４２】シリアル情報管理部２２は、ステップＳ０９で参照したダウンロード回数項目の現在値がダウンロード制限回数項目に示された値に達していると判定すると、ダウンロード回数がダウンロード制限回数を上回っているとし、このパッケージＩＤを認証せず、処理を終了する。この場合、ユーザ管理部２１にダウンロード制限回数を上回っているためパッケージＩＤを認証できなかった旨のエラー情報を出力し、ユーザ管理部２１はエラーを取得すると、通信部２４を介してシリアルキー４の利用回数が制限数に達したメッセージ画面を携帯通信端末装置３に送信する。携帯通信端末装置３の携帯端末制御部３１は無線通信部３２を介してシリアルキー４が無効であるメッセージ画面を受信すると、ディスプレイ３７にそのメッセージ画面を表示する。【００４３】シリアル情報管理部２２は、ステップＳ０９で参照したダウンロード回数項目の現在値がダウンロード制限回数項目に示された値に達していないと判定すると、このパッケージＩＤを認証する（ステップＳ１０）。【００４４】ステップＳ１０で現在認証中のパッケージＩＤが認証されると、シリアル情報管理部２２はシリアル情報管理データ６１のコンテンツリストの項目を参照し、パッケージＩＤによりダウンロードされるコンテンツの一覧情報を記録するコンテンツリストデータ６２をユーザ管理部２１に供給する（ステップＳ１１）。【００４５】ユーザ管理部２１はシリアル情報管理部２２より取得したコンテンツリストデータ６２を基に、コンテンツデータベース７から現在認証されたパッケージＩＤに付随する全てのコンテンツデータを取得し（ステップＳ１２）、通信部２４を介して携帯通信端末装置３に送信する（ステップＳ１３）。【００４６】携帯通信端末装置３の携帯端末制御部３１は無線通信部３２を介してパッケージＩＤに付随する全てのコンテンツデータを受信し、コンテンツデータ記憶部３５に記録するステップＳ１４）。【００４７】コンテンツ配信サーバ２のユーザ管理部２１は、コンテンツデータの送信を終了すると（ステップＳ１５）、シリアル情報管理部２２にコンテンツデータの送信終了を通知する。【００４８】コンテンツ配信サーバ２のシリアル情報管理部２２は、ユーザ管理部２１よりコンテンツデータの送信を終了する通知を取得すると、シリアル情報管理データベース６に記録されているシリアル情報管理データ６１の、現在認証中のパッケージＩＤのダウンロード回数項目の現在値に“１”増やした値をダウンロード回数項目へ書き込む（ステップＳ１６）。【００４９】ユーザが携帯通信端末装置３に対して受信したコンテンツデータ再生の開始を入力すると（ステップＳ１７）、携帯通信端末装置３の携帯端末制御部３１は、操作スイッチ３４から入力されたユーザの操作を基に、コンテンツデータ記憶部３５に記録したコンテンツデータをコンテンツ再生部３６へ支給し、コンテンツ再生部３６は、コンテンツデータを再生、音声信号、映像信号を生成し、ディスプレイ３７、およびスピーカ３８に出力する（ステップＳ１８）。【００５０】このようにして、シリアルキー４によってのみ特定されるコンテンツをコンテンツ配信サーバ２から携帯通信端末装置３へダウンロードし、パッケージを構成する一部としてここにユーザの条件付き保有権を認めたうえ、取得させる事が可能となる。【００５１】なお、シリアル情報管理データ６１の各項目に関し、図３に示すように、パッケージＩＤ、ダウンロード回数、ダウンロード制限回数、コンテンツリストの項目を有するデータテーブルとしたが、これに限定されるものではなく、配信するメディアの規模と内容に応じた項目を加えてもよい。例えば、ダウンロードを回数で制限せず、ユーザが行った一回目のダウンロードより一年間といった期間制限を可能とする項目を加えれば、その後一年以内にリリースされる同一アーティストの新規作品コンテンツを制作側がコンテンツリストデータ６２の内容を追加更新することによってダウンロードできる年間パスのような製品を制作することや、パッケージ入手時にはサンプルをダウンロードできるようにコンテンツリストを構成し、追ってマスターデータを適切なフォーマットに変換したコンテンツデータのダウンロードできるような製品を制作すること等も可能となる。また、コンテンツデータの解禁日を指定する項目を加えることにより、コンテンツの製作期間を拡大することが可能になる上、グローバルに作品の解禁日を調整することも可能となる。【００５２】また、コンテンツリストデータ６２に含まれるコンテンツデータの内容や組み合わせを替えるだけで、新規に同一コンテンツデータによるシングル、マキシシングル、コンピレーション、ベストセレクション等のパッケージを容易に制作する事が可能となる。同様にコンテンツリストデータ６２に含まれるコンテンツデータを追加することで、ユーザにシリアルキーを配布した後にも、パッケージ製品であるにも係らずデータが変化していく魅力的な製品制作が可能となる。制作者は、ダウンロード先の端末が再生できる映像、音楽、ゲーム等の他メディアを対象に、先進的に作品の一部として製品制作を行うことが可能である。例えば、小説に音楽を付加することや、映像作品にガイド文章を付加するといったクロスメディア作品を容易に制作することが可能である。【００５３】また、本実施形態ではコンテンツ配信サーバ２に各機能を提供するそれぞれの部及び装置をもうけたが、配信する規模によって各機能をそれぞれのサーバで分散処理してもよい。また各出版社や配信者がおのおののサーバを利用して、コンテンツデータを共有してもよい。この場合は、コンテンツリストデータ６２に提供サーバの必要な情報を加える項目を追加する。【００５４】また、携帯通信端末装置３として図１には携帯電話を示しているが、これに限定されるものではなく、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等、図４に示す機能を実現できるものであれば良い。この場合図４にはコードスキャナ３３が内蔵されているが、これに限定されるものではなく、有線、又は無線により携帯通信端末装置３と接続されていれば良い。【００５５】コードスキャナ３３として、ＱＲコードスキャナを示しているが、これに限定されるものではなくバーコード、テストシーケンスを記述するためのマイクロコード、及びテストパターンのタイミングを制御するナノコード等、コンテンツ特定に必要な情報が暗号化された一次元以上のコード、若しくはそれに準ずる現在使用されている、ないし将来的に使用される暗号化された情報の表示、ないし保持方法であれば良い。【００５６】また、本実施形態ではＱＲコードパターンに含まれるコンテンツ配信サーバ２のＵＲＬアドレスに続いて、パッケージＩＤを含む暗号化されたシリアル情報をパラメータとして付加した一連の文字列と、携帯通信端末装置３がネットワーク５を介してコンテンツ配信サーバ２へアクセスするために必要な命令文を利用しているが、これに限定されるものではなく、ＵＲＬの代わりにＥメール等、シリアル情報をコンテンツ配信サーバ２へ送信可能な方法であれば良い。また、コードスキャナ３３を利用してシリアルキーを読み込む意外に、シリアル情報をローマ字英数字による一連の文字列として表現できるシリアル番号等を、帯通信端末装置３のディスプレイ３７にシリアル番号入力画面を表示し、シリアル番号を手動で入力しても、また、帯通信端末装置３のＥメール機能を利用してシリアル番号を手動で入力しても良い。【００５７】また、シリアルキー４として図１には鍵を示しているが、これに限定されるものではなく、コンテンツ特定に必要な情報が暗号化された一次元以上のコード、若しくはそれに準ずる現在使用されている、ないし将来的に使用される暗号化された情報の表示、ないし保持方法を明記できる物体であれば良い。この場合、実メディアを含まないパッケージの場合、そのシリアルキーの形状は無限の可能性を秘めており、キーホールダや、鉄板、木製の物体から玩具、ぬいぐるみ、紙媒体に車両、家屋等、およそ全てが想定される。【００５８】また、いかなるサービスもそのサーバが提供するデータの内容を駆使するだけでおよそ全てのサービスに対応���ることが可能であるため、サービス提供内容や目的の如何に係らず、端末製造者はこのサービスの独自性や特殊性を意識する事無く端末を製造する事ができる。また、シリアル情報管理部が認識できるフォーマットとコードの形態及びシリアル情報管理部を機能させる為に必要とされる認証方式の関連性を維持すれば、小規模から世界的規模まで様々なニーズに対応するサービスを展開する事が可能となる為、企業だけでなく個人レベルでの当該モデル利用も可能となる。即ち、コード作成、コード印刷、プログラムを作動させデータを提供できる環境の三条件を満たす者は全て配信者となり得る。
【図面の簡単な説明】
【００５９】
【図１】コンテンツ配信システムの全体構成図の一例である。
【図２】コンテンツ配信サーバの機能ブロック図の一例である。
【図３】シリアル情報管理データのデータ構造の一例である。
【図４】コンテンツリストデータのデータ構造の一例である。
【図５】携帯通信端末装置の機能ブロック図並びにコンテンツ配信サーバとの連携構造図の一例である。
【図６】コンテンツ配信システム１におけるコンテンツ配信処理を示すシーケンス図である。
【符号の説明】
【００６０】１    コンテンツ配信システム
２    コンテンツ配信サーバ
２１  ユーザ管理部
２２  シリアル情報管理部
２３  コンテンツ管理部
２４  通信部
３    携帯通信端末装置
３１  携帯端末制御部
３２  無線通信部
３３  コードスキャナ
３４  操作スイッチ
３５  コンテンツデータ記憶部
３６  コンテンツ再生部
３７  ディスプレイ
３８  スピーカ
４    シリアルキー
５    ネットワーク
６    シリアル情報管理データベース
６１  シリアル情報管理データ
６２  コンテンツリストデータ
７    コンテンツデータベース
【図１】
2006085738.tif 000003
【図２】
2006085738.tif 000004
【図３】
2006085738.tif 000005
【図４】
2006085738.tif 000006
【図５】
2006085738.tif 000007
【図６】
2006085738.tif 000008